(57)【特許請求の範囲】
【請求項１】
放電によって粒子をイオン化するイオナイザと、このイオナイザによりイオン化された前記粒子を吸着するコレクタと、前記イオナイザに前記粒子をイオン化するために必要な高電圧を供給するとともに、このイオナイザへの高電圧を分圧した電圧を前記粒子を吸着するために必要な高電圧として前記コレクタに供給する高電圧出力装置とを備えたエアクリーナの運転状態を監視するエアクリーナ監視装置において、
前記高電圧出力装置からの前記コレクタへの高電圧を分圧して取り出される監視用の電圧をコレクタ電圧として検出するコレクタ電圧検出手段と、
前記コレクタ電圧に生じる高周波の雑音を前記イオナイザでの火花放電によって発生するイオナイザ放電として検出するイオナイザ放電検出手段と、
前記コレクタ電圧に生じる低周波の雑音を前記コレクタでの火花放電によって発生するコレクタ放電として検出するコレクタ放電検出手段と、
前記高電圧出力装置の消費電流を検出する消費電流検出手段と、
前記コレクタ電圧検出手段、前記イオナイザ放電検出手段、前記コレクタ放電検出手段および前記消費電流検出手段の各検出結果に基づいて前記エアクリーナの運転状態を判定するエアクリーナ運転状態判定手段とを備え、
前記エアクリーナ運転状態判定手段は、
前記コレクタ放電検出手段によってコレクタ放電が検出されず、かつ前記コレクタ電圧検出手段によって検出されるコレクタ電圧が継続的に低く、かつ前記消費電流検出手段によって検出される消費電流が低い場合を第１のケースとし、
前記コレクタ放電検出手段によってコレクタ放電が検出されず、かつ前記コレクタ電圧検出手段によって検出されるコレクタ電圧が正常で、かつ前記消費電流検出手段によって検出される消費電流が高い場合を第２のケースとし、
前記コレクタ放電検出手段によってコレクタ放電が検出されず、かつ前記コレクタ電圧検出手段によって検出されるコレクタ電圧が正常で、かつ前記消費電流検出手段によって検出される消費電流が低い場合を第３のケースとし、
前記第１〜第３のケースの何れかのケースが生じた場合に前記エアクリーナの運転状態を異常であると判定し、
前記コレクタ放電検出手段によってコレクタ放電が継続的に検出され、かつ前記コレクタ電圧検出手段によって検出されるコレクタ電圧が継続的に低い場合を第４のケースとし、
前記コレクタ放電検出手段によってコレクタ放電が検出されず、かつ前記コレクタ電圧検出手段によって検出されるコレクタ電圧が継続的に低く、かつ前記消費電流検出手段によって検出される消費電流が正常又は高い場合を第５のケースとし、
前記第４および第５のケースの何れかのケースが生じた場合に前記エアクリーナの運転状態をメンテナンスが必要な注意状態であると判定する
ことを特徴とするエアクリーナ監視装置。
【請求項２】
請求項１に記載されたエアクリーナ監視装置において、
前記エアクリーナ運転状態判定手段によって判定されたエアクリーナの運転状態の判定結果に基づいて前記エアクリーナの運転を停止するか継続するかを判断する手段
を備えることを特徴とするエアクリーナ監視装置。
【請求項３】
請求項１に記載されたエアクリーナ監視装置において、
前記エアクリーナ運転状態判定手段によって判定されたエアクリーナの運転状態の判定結果を報知する判定結果報知手段
を備えることを特徴とするエアクリーナ監視装置。
【請求項４】
請求項３に記載されたエアクリーナ監視装置において、
前記判定結果報知手段は、
前記エアクリーナ運転状態判定手段によって判定されたエアクリーナの運転状態の判定結果を正常状態と異常状態の他に注意喚起を必要とする状態も含めて報知する
ことを特徴とするエアクリーナ監視装置。
【請求項５】
請求項４に記載されたエアクリーナ監視装置において、
前記判定結果報知手段は、
前記エアクリーナ運転状態判定手段によって判定されたエアクリーナの運転状態の判定結果をその判定結果に係る部位を示して報知する
ことを特徴とするエアクリーナ監視装置。
【発明の詳細な説明】
【技術分野】
【０００１】
この発明は、エアクリーナにおけるイオナイザやコレクタなどの異常を監視するエアクリーナ監視装置に関するものである。
【背景技術】
【０００２】
図３は従来のエアクリーナを示す構成図であり、同図において、１はエアクリーナの矩形筒形のケースで、このケース１内の一方の開口端部にはサランネットおよび不織布などからなるプレフィルタ２が設けられている。
【０００３】
３はケース１内の中央部付近に設置された集塵セルであり、この集塵セル３内にはイオナイザ４およびコレクタ５が順次並設されている。
【０００４】
イオナイザ４はタングステン線などからなる複数の放電電極６を、接地された複数の波形のプレート（電極）７により挟むように配置したものからなり、コレクタ５は正，負の高電圧が印加されて、対向する２枚のコレクタ極板８，９を複数組備えたものからなる。
【０００５】
１０は集塵セル３の出口側に設けられた脱臭機能などを有する活性炭フィルタ、１１はケース１内の他方の開口端部に設けられたファンである。
【０００６】
図４にイオナイザ４およびコレクタ５に高電圧を供給する高電圧出力装置１５の要部を示す。高電圧出力装置１５は、その出力段に、直列接続された３つの分圧抵抗１２，１３，１４を備えている。
【０００７】
図４において、１６はイオナイザ入力線、１７はコレクタ入力線、１８は監視出力線であり、イオナイザ入力線１６から取り出される直流の高電圧がイオナイザ４の放電電極６とプレート７との間に印加される。コレクタ入力線１７から取り出される直流の高電圧がコレクタ５の各コレクタ極板８，９間に印加される。イオナイザ入力線１６からはコレクタ入力線１７よりも十分に高い電圧が取り出される。
【０００８】
監視出力線１８からはコレクタ５への高電圧を抵抗１３と１４とによって分圧した監視用の電圧（１００数ボルト程度の直流電圧）が取り出される。この監視出力線１８から取り出される監視用の電圧はコレクタ電圧としてエアクリーナ監視装置１９に与えられる。エアクリーナ監視装置１９は、監視出力線１８からのコレクタ電圧に基づいて、イオナイザ４およびコレクタ５の状態を監視する。
【０００９】
このエアクリーナでは、電源の投入によって、高電圧出力装置１５内で高電圧を発生させ、この高電圧をイオナイザ入力線１６および分圧抵抗１２を介してコレクタ入力線１７にそれぞれ供給する。これにより、イオナイザ４の放電電極６とプレート７との間およびコレクタ５の各コレクタ極板８，９間にそれぞれ高電圧が入力される。
【００１０】
一方、ケース１の一端からは、埃を含む空気が、ファン１１の吸引力を受けてケース１内に吸い込まれ、この埃のうち大きな埃はプレフィルタ２にて集塵される。そして、このプレフィルタ２を通過した微小の埃である粒子が集塵セル３のイオナイザ４へ導入され、放電電極６の周辺に生じた静電界内でイオン化されて正または負に帯電される。
【００１１】
この帯電した正，負の粒子はコレクタ５の各コレクタ極板８，９間に至り、正に帯電した粒子は接地されたコレクタ極板８に、負に帯電した粒子は高電圧が印加されているコレクタ極板９に、それぞれ吸着される。集塵された後の空気は、活性炭フィルタ１０を通過して脱臭され、ケース１の他方の開口端から室内に送り出される。
【００１２】
一方、抵抗１２，１３と抵抗１４とにより分圧された電圧は、コレクタ電圧としてエアクリーナ監視装置１９に与えられる。エアクリーナ監視装置１９では、コレクタ電圧に生じる高周波の雑音をイオナイザ４での火花放電によって発生するイオナイザ放電として検出し、このイオナイザ放電の大きさや継続時間などに基づいてイオナイザ４の正常・異常の状態を判断する。また、コレクタ電圧に生じる低周波の雑音をコレクタ５での火花放電によって発生するコレクタ放電として検出し、このコレクタ放電の大きさや継続時間などに基づいてコレクタ５の正常・異常の状態を判断する（例えば、特許文献１参照）。
【特許文献１】特開平９−９９２５４号公報
【発明の開示】
【発明が解決しようとする課題】
【００１３】
しかしながら、上述したエアクリーナ監視装置では、イオナイザ放電とコレクタ放電を判別して警報を発報したり、電源をオフとしたりすることができるが、埃が堆積していって火花放電が生じたのか、たまたま大きなゴミが浸入して火花放電が生じたのか、メンテナンス時期なのか、高電圧出力装置の異常なのかなど、エアクリーナの運転状態を区別して判定することができず、保守作業者が現場に出向いてみないと分からないという問題があった。
【００１４】
本発明は、このような課題を解決するためになされたもので、その目的とするところは、イオナイザやコレクタの正常・異常だけではなく、高電圧出力装置の異常やメンテナンス時期なども含めて、エアクリーナの運転状態を区別して判定することが可能なエアクリーナ監視装置を提供することにある。
【課題を解決するための手段】
【００１５】
このような目的を達成するために本発明は、放電によって粒子をイオン化するイオナイザと、このイオナイザによりイオン化された粒子を吸着するコレクタと、イオナイザに粒子をイオン化するために必要な高電圧を供給するとともに、このイオナイザへの高電圧を分圧した電圧を粒子を吸着するために必要な高電圧としてコレクタに供給する高電圧出力装置とを備えたエアクリーナの運転状態を監視するエアクリーナ監視装置において、高電圧出力装置からのコレクタへの高電圧を分圧して取り出される監視用の電圧をコレクタ電圧として検出するコレクタ電圧検出手段と、コレクタ電圧に生じる高周波の雑音をイオナイザでの火花放電によって発生するイオナイザ放電として検出するイオナイザ放電検出手段と、コレクタ電圧に生じる低周波の雑音をコレクタでの火花放電によって発生するコレクタ放電として検出するコレクタ放電検出手段と、高電圧出力装置の消費電流を検出する消費電流検出手段と、コレクタ電圧検出手段、イオナイザ放電検出手段、コレクタ放電検出手段および消費電流検出手段の各検出結果に基づいてエアクリーナの運転状態を総合的に判定するエアクリーナ運転状態判定手段とを備え、エアクリーナ運転状態判定手段は、コレクタ放電検出手段によってコレクタ放電が検出されず、かつコレクタ電圧検出手段によって検出されるコレクタ電圧が継続的に低く、かつ消費電流検出手段によって検出される消費電流が低い場合を第１のケースとし、コレクタ放電検出手段によってコレクタ放電が検出されず、かつコレクタ電圧検出手段によって検出されるコレクタ電圧が正常で、かつ消費電流検出手段によって検出される消費電流が高い場合を第２のケースとし、コレクタ放電検出手段によってコレクタ放電が検出されず、かつコレクタ電圧検出手段によって検出されるコレクタ電圧が正常で、かつ消費電流検出手段によって検出される消費電流が低い場合を第３のケースとし、第１〜第３のケースの何れかのケースが生じた場合にエアクリーナの運転状態を異常であると判定し、コレクタ放電検出手段によってコレクタ放電が継続的に検出され、かつコレクタ電圧検出手段によって検出されるコレクタ電圧が継続的に低い場合を第４のケースとし、コレクタ放電検出手段によってコレクタ放電が検出されず、かつコレクタ電圧検出手段によって検出されるコレクタ電圧が継続的に低く、かつ消費電流検出手段によって検出される消費電流が正常又は高い場合を第５のケースとし、第４および第５のケースの何れかのケースが生じた場合にエアクリーナの運転状態をメンテナンスが必要な注意状態であると判定することを特徴とする。
【００１６】
この発明によれば、コレクタ放電が検出されず、かつコレクタ電圧が継続的に低く、かつ消費電流が低い場合、エアクリーナの運転状態が異常であると判定される。或いは、コレクタ放電が検出されず、かつコレクタ電圧が正常で、かつ消費電流が高い場合、エアクリーナの運転状態が異常であると判定される。また、コレクタ放電が検出されず、かつコレクタ電圧が正常で、かつ消費電流が低い場合、エアクリーナの運転状態が異常であると判定される。また、コレクタ放電が継続的に検出され、かつコレクタ電圧が継続的に低い場合、エアクリーナの運転状態がメンテナンスが必要な注意状態であると判定される。或いは、コレクタ放電が検出されず、かつコレクタ電圧が継続的に低く、かつ消費電流が正常又は高い場合、エアクリーナの運転状態がメンテナンスが必要な注意状態であると判定される。
【００１９】
本発明において、エアクリーナ運転状態判定手段によって判定されたエアクリーナの運転状態の判定結果に基づいてエアクリーナの運転を停止するか継続するかを判断する手段を設けたり、エアクリーナ運転状態判定手段によって判定されたエアクリーナの運転状態の判定結果を報知する判定結果報知手段を設けたりするようにしてもよい。判定結果報知手段を設ける場合、エアクリーナの運転状態の判定結果をその判定結果に係る部位を示して報知したりしてもよい。
【発明の効果】
【００２０】
本発明によれば、コレクタ電圧検出手段によって検出されるコレクタ電圧、イオナイザ放電検出手段によって検出されるイオナイザ放電、コレクタ放電検出手段によって検出されるコレクタ放電および消費電流検出手段によって検出される高電圧出力装置の消費電流に基づいてエアクリーナの運転状態を判定するようにしたので、イオナイザやコレクタの正常・異常だけではなく、高電圧出力装置の異常やメンテナンス時期なども含めて、エアクリーナの運転状態を区別して判定することが可能となる。
【発明を実施するための最良の形態】
【００２１】
以下、本発明を図面に基づいて詳細に説明する。図１はこの発明に係るエアクリーナ監視装置の一実施の形態の要部を示すブロック図である。同図において、図４と同一符号は図４を参照して説明した成要素と同一或いは同等構成要素を示し、その説明は省略する。
【００２２】
本実施の形態のエアクリーナ監視装置２０は、図４に示した従来のエアクリーナ監視装置１９と同様に、図３にその構成を示したエアクリーナに対して付設されており、平滑回路２１と、レベル判定回路２２と、直流カット回路２３と、イオナイザ放電周波数検出フィルタ２４と、整流平滑回路２５と、レベル判定回路２６と、コレクタ放電周波数検出フィルタ２８と、整流平滑回路２９と、レベル判定回路３０と、高電圧出力装置１５の消費電流を検出する消費電流検出部３１と、エアクリーナ中の空気温度（集塵セル３を通過する空気の温度）を検出する温度検出部３２と、ファン１１の消費電力を検出するファン消費電力検出部３３と、エアクリーナの運転状態を判定するエアクリーナ運転状態判定部３４とを備えている。
【００２３】
なお、図１において、３５は商用電源、３６は電源スイッチ、３７は表示装置であり、高電圧出力装置１５はその出力段のみを示し、内部の回路構成は省略している。
【００２４】
このエアクリーナ監視装置２０において、平滑回路２１は、監視出力線１８から監視用の電圧として取り出されるコレクタ電圧を平滑して出力する。レベル判定回路２２は平滑回路２１の出力レベル（コレクタ電圧のレベル）を判定する。この平滑回路２１とレベル判定回路２２とによってコレクタ電圧検出部１００が構成されている。
【００２５】
直流カット回路２３は、監視出力線１８から取り出されるコレクタ電圧を取り込んで直流分をカットし、イオナイザ４やコレクタ５における火花放電により発生した雑音電圧のみを検出して出力する。
【００２６】
イオナイザ放電周波数検出フィルタ２４は、直流カット回路２３が出力する雑音電圧のうち、高周波の雑音電圧（この例では、５００Ｈｚ以上の雑音電圧）をイオナイザ放電として取り出す。整流平滑回路２５は、イオナイザ放電周波数検出フィルタ２４によって取り出された雑音電圧を整流して平滑する。レベル判定回路２６は整流平滑回路２５の出力レベル（イオナイザ放電のレベル）を判定する。このイオナイザ放電周波数検出フィルタ２４と、整流平滑回路２５と、レベル判定回路２６とによってイオナイザ放電検出部１０１が構成されている。
【００２７】
コレクタ放電周波数検出フィルタ２８は、直流カット回路２３が出力する雑音電圧のうち、低周波の雑音電圧（この例では、５００Ｈｚ以下の雑音電圧）をコレクタ放電として取り出す。整流平滑回路２９は、コレクタ放電周波数検出フィルタ２８によって取り出された雑音電圧を整流して平滑化する。レベル判定回路３０は整流平滑回路２９の出力レベル（コレクタ放電のレベル）を判定する。このコレクタ放電周波数検出フィルタ２８と、整流平滑回路２９と、レベル判定回路３０とによってコレクタ放電検出部１０２が構成されている。
【００２８】
エアクリーナ運転状態判定部３４は、コレクタ電圧検出部１００によって検出されるコレクタ電圧、イオナイザ放電検出部１０１によって検出されるイオナイザ放電、コレクタ放電検出部１０２によって検出されるコレクタ放電、消費電流検出部３１によって検出される高電圧出力装置１５の消費電流、温度検出部３２によって検出されるエアクリーナ中の空気温度およびファン消費電力検出部３３によって検出されるファン１１の消費電力を入力とし、これらの検出結果に基づいてエアクリーナの運転状態を判定する。
【００２９】
図２にエアクリーナ運転状態判定部３４に設定されているエアクリーナの運転状態の判定ロジックを示す。エアクリーナ運転状態判定部３４は、この図２に示した判定ロジックに従って、エアクリーナの運転状態を判定する。このエアクリーナ運転状態判定部３４におけるエアクリーナの運転状態の判定処理動作は、プロセッサや記憶装置からなるハードウェアと、これらのハードウェアと協働して各種機能を実現させるプログラムとによって実現される。また、プログラムは媒体に記憶された形で提供され、ハードウェアシステムに組み込まれている記憶装置、例えばハードディスク装置にインストールされることによって実行される。
【００３０】
次に動作について説明する。このエアクリーナ監視装置２０を備えたエアクリーナでは、電源スイッチ３６をオンとすることによって、商用電源３５からの電源電圧を高電圧出力装置１５に供給する。これにより、高電圧出力装置１５内での昇圧動作が開始され、イオナイザ出力線１６に直流の高電圧が発生する。また、イオナイザ出力線１６に発生する高電圧が抵抗１２と抵抗１３および１４とによって分圧され、コレクタ入力線１７にイオナイザ出力線１６に発生する高電圧よりも低い直流の高電圧が発生する。
【００３１】
イオナイザ出力線１６に発生する高電圧は、イオナイザ４の放電電極６とプレート７との間に印加され、コレクタ入力線１７に発生する高電圧は、コレクタ５の各コレクタ極板８，９間に印加される。このため、従来例で説明した場合と同様に、プレフィルタ２を通過した埃の粒子がイオナイザ４においてイオン化されて正または負に帯電し、この帯電した粒子がコレクタ５の負または正の各コレクタ極板８，９に吸着される。そして、この粒子が除かれた空気が活性炭フィルタ１０にて脱臭され、この浄化された空気がファン１１を通して室内へ送り出される。
【００３２】
一方、コレクタ入力線１７に発生する高電圧は、抵抗１３と１４とによって分圧され、コレクタ電圧として監視出力線１８から取り出される。この監視出力線１８から取り出されたコレクタ電圧は、平滑回路２１にて平滑化され、レベル判定回路２２を介して、エアクリーナ運転状態判定部３４に送られる。
【００３３】
また、監視出力線１８から取り出されたコレクタ電圧は、直流カット回路２３にも入力され、ここでイオナイザ４やコレクタ５における火花放電により発生した雑音電圧のみが直流分から分離して取り出される。
【００３４】
そして、この取り出された雑音電圧のうち、高周波の雑音電圧（５００Ｈｚ以上の雑音電圧）がイオナイザ放電としてイオナイザ放電周波数検出フィルタ２４によって取り出され、低周波の雑音電圧（５００Ｈｚ以下の雑音電圧）がコレクタ放電としてコレクタ放電周波数検出フィルタ２８によって取り出される。
【００３５】
そして、イオナイザ放電周波数検出フィルタ２４によって取り出されたイオナイザ放電が、整流平滑回路２５にて平滑化され、レベル判定回路２６を介して、エアクリーナ運転状態判定部３４に送られる。また、コレクタ放電周波数検出フィルタ２８によって取り出されたコレクタ放電が、整流平滑回路２９にて平滑化され、レベル判定回路３０を介して、エアクリーナ運転状態判定部３４に送られる。
【００３６】
エアクリーナ運転状態判定部３４には、このようにして、コレクタ電圧検出部１００によって検出されるコレクタ電圧と、イオナイザ放電検出部１０１によって検出されるイオナイザ放電と、コレクタ放電検出部１０２によって検出されるコレクタ放電が与えられる。
【００３７】
また、エアクリーナ運転状態判定部３４には、コレクタ電圧検出部１００からのコレクタ電圧、イオナイザ放電検出部１０１からのイオナイザ放電、コレクタ放電検出部１０２からのコレクタ放電に加え、消費電流検出部３１で検出される高電圧出力装置１５の消費電流、温度検出部３２で検出されるエアクリーナ中の空気温度、ファン消費電力検出部３３で検出されるファン１１の消費電力も与えられる。
【００３８】
エアクリーナ運転状態判定部３４は、このコレクタ電圧検出部１００からのコレクタ電圧、イオナイザ放電検出部１０１からのイオナイザ放電、コレクタ放電検出部１０２からのコレクタ放電、消費電流検出部３１からの高電圧出力装置１５の消費電流、温度検出部３２で検出されるエアクリーナ中の空気温度およびファン消費電力検出部３３で検出されるファンの１１の消費電力を入力とし、図２に示された判定ロジックに従ってエアクリーナの運転状態を判定する。
【００３９】
〔エアクリーナの運転状態の判定〕
先ず、エアクリーナ運転状態判定部３４は、診断対象を空気とし、温度検出部３２で検出されるエアクリーナ中の空気温度が高い場合には、直ちに「異常」と判定する（ケース１）。この場合、エアクリーナの運転を停止し、表示装置３７に、エアクリーナの運転状態が異常である旨の判定結果を表示する。また、その判定結果に係る部位として、処理空気が高温であることを表示する。
【００４０】
次に、エアクリーナ運転状態判定部３４は、診断対象をファンとし、ファン消費電力検出部３３で検出されるファンの１１の消費電力が低い場合には、直ちに「異常」と判定する（ケース２）。この場合、エアクリーナの運転を停止し、表示装置３７に、エアクリーナの運転状態が異常である旨の判定結果を表示する。また、その判定結果に係る部位として、ファンが異常であることを表示する。
【００４１】
次に、エアクリーナ運転状態判定部３４は、診断対象をイオナイザ部とし、イオナイザ放電検出部１０１で検出されるイオナイザ放電に基づき、イオナイザ放電があった場合には、直ちに「異常」と判定する（ケース３）。この場合、エアクリーナの運転を停止し、表示装置３７に、エアクリーナの運転状態が異常である旨の判定結果を表示する。また、その判定結果に係る部位として、イオナイザが異常であることを表示する。
【００４２】
なお、イオナイザ放電がない場合には、「正常」と判定する（ケース４）。この場合、エアクリーナの運転を継続し、表示装置３７に、エアクリーナの運転状態が正常である旨の判定結果を表示する。また、その判定結果に係る部位として、イオナイザが正常であることを表示する。
【００４３】
次に、エアクリーナ運転状態判定部３４は、診断対象をコレクタ部／高電圧出力部／集塵セルとし、コレクタ放電検出部１０２で検出されるコレクタ放電に基づき、コレクタ放電が継続的にあり、コレクタ電圧が高い場合には、「異常」と判定する（ケース５）。この場合、エアクリーナの運転を停止し、表示装置３７に、エアクリーナの運転状態が異常である旨の判定結果を表示する。また、その判定結果に係る部位として、高電圧出力装置が異常であることを表示する。
【００４４】
コレクタ放電が継続的にあり、コレクタ電圧が継続的に低い場合には、「注意」（異常までとは言えないが注意の喚起を必要とする状態）と判定する（ケース６）。この場合、エアクリーナの運転を継続し、表示装置３７に、エアクリーナの運転状態に注意を要する旨の判定結果を表示する。また、判定結果に係る情報として、メンテナンスが必要であることを表示する。
【００４５】
なお、コレクタ放電が継続的にあっても、コレクタ電圧が正常であれば、「正常」と判定する（ケース７）。この場合、エアクリーナの運転を継続し、表示装置３７に、エアクリーナの運転状態が正常である旨の判定結果を表示する。また、その判定結果に係る部位として、コレクタが正常であることを表示する。
【００４６】
コレクタ放電がない場合でも、コレクタ電圧が高い場合には、「異常」と判定する（ケース８）。この場合、エアクリーナの運転を停止し、表示装置３７に、エアクリーナの運転状態が異常である旨の判定結果を表示する。また、その判定結果に係る部位として、高電圧出力装置が異常であることを表示する。
【００４７】
また、コレクタ放電がない場合でも、コレクタ電圧が継続的に低く、高電圧出力装置１５の消費電流が正常又は高い場合には、「注意」と判定する（ケース９）。この場合、エアクリーナの運転を継続し、表示装置３７に、エアクリーナの運転状態に注意を要する旨の判定結果を表示する。また、判定結果に係る情報として、メンテナンスが必要であることを表示する。
【００４８】
また、コレクタ放電がない場合でも、コレクタ電圧が継続的に低く、高電圧出力装置１５の消費電流が低い場合には、「異常」と判定する（ケース１０）。この場合、エアクリーナの運転を停止し、表示装置３７に、エアクリーナの運転状態が異常である旨の判定結果を表示する。また、その判定結果に係る部位として、高電圧出力装置が異常であることを表示する。
【００４９】
また、コレクタ放電がなく、コレクタ電圧が正常である場合でも、高電圧出力装置１５の消費電流が高い場合には、「異常」と判定する（ケース１１）。この場合、エアクリーナの運転を停止し、表示装置３７に、エアクリーナの運転状態が異常である旨の判定結果を表示する。また、その判定結果に係る部位として、高電圧出力装置が異常であることを表示する。
【００５０】
また、コレクタ放電がなく、コレクタ電圧が正常である場合でも、高電圧出力装置１５の消費電流が低い場合には、「異常」と判定する（ケース１２）。この場合、エアクリーナの運転を停止し、表示装置３７に、エアクリーナの運転状態が異常である旨の判定結果を表示する。また、その判定結果に係る部位として、集塵セルの点検が必要であることを表示する。
【００５１】
コレクタ放電がなく、コレクタ電圧が正常であり、高電圧出力装置１５の消費電流が正常である場合には、「正常」と判定する（ケース１３）。この場合、エアクリーナの運転を継続し、表示装置３７に、エアクリーナの運転状態が正常である旨の判定結果を表示する。また、その判定結果に係る部位として、コレクタが正常であることを表示する。
【００５２】
なお、上述したケース９〜１３では、高電圧出力装置１５の消費電流を第３優先事象として見ているが、高電圧出力装置１５の消費電流は集塵セル３内で火花放電があるときは正常な判定ができないため、第１優先事象としてコレクタ放電がないことを前提としている。
【００５３】
このように、本実施の形態では、エアクリーナ異常状態判定部３４において、コレクタ電圧検出部１００、イオナイザ放電検出部１０１、コレクタ放電検出部１０２、消費電流検出部３１、温度検出部３２およびファン消費電力検出部３３の各検出結果に基づいてエアクリーナの運転状態を総合的に判定することにより、イオナイザ４やコレクタ５の正常・異常だけではなく、高電圧出力装置１５の異常やメンテナンス時期なども含めて、エアクリーナの運転状態を区別して判定することができるようになる。
【００５４】
なお、上述した実施の形態では、温度検出部３２やファン消費電力検出部３３を設けるようにしたが、温度検出部３２やファン消費電力検出部３３は必ずしも設けなくてもよい。すなわち、コレクタ電圧検出部１００からのコレクタ電圧、イオナイザ放電検出部１０１からのイオナイザ放電、コレクタ放電検出部１０２からのコレクタ放電、消費電流検出部３１からの高電圧出力装置１５の消費電流のみを使用し、エアクリーナの運転状態を総合的に判定するようにしてもよい。また、温度検出部３２やファン消費電力検出部３３に加えて、エアクリーナ中の湿度を検出する湿度検出部を設け、この湿度検出部が検出する湿度をさらに使用して、エアクリーナの運転状態を総合的に判定するようにしてもよい。
【図面の簡単な説明】
【００５５】
【図１】本発明に係るエアクリーナ監視装置の一実施の形態の要部を示すブロック図である。
【図２】このエアクリーナ監視装置のエアクリーナ運転状態判定部に設定されているエアクリーナの運転状態の判定ロジックを示す図である。
【図３】エアクリーナを示す構成図である。
【図４】このエアクリーナのイオナイザおよびコレクタに高電圧を供給する高電圧出力装置の要部を従来のエアクリーナ監視装置と合わせて示す図である。
【符号の説明】
【００５６】
１…ケース、２…プレフィルタ、３…集塵セル、４…イオナイザ、５…コレクタ、６…放電電極、７…プレート（電極）、８，９…コレクタ極板、１０…活性炭フィルタ、１１…ファン、１２，１３，１４…分圧抵抗、１５…高電圧出力装置、１６…イオナイザ入力線、１７…コレクタ入力線、１８…監視出力線、２０…エアクリーナ監視装置、２１…平滑回路、２２…レベル判定回路、２３…直流カット回路、２４…イオナイザ放電周波数検出フィルタ、２５…整流平滑回路、２６…レベル判定回路、２８…コレクタ放電周波数検出フィルタ、２９…整流平滑回路、３０…レベル判定回路、３１…消費電流検出部、３２…温度検出部、３３…ファン消費電力検出部、３４…エアクリーナ運転状態判定部、３５…商用電源、３６…電源スイッチ、３７…表示装置、１００…コレクタ電圧検出部、１０１…イオナイザ放電検出部、１０２…コレクタ放電検出部。
【図１】
0005065109.tif 000002
【図２】
0005065109.tif 000003
【図３】
0005065109.tif 000004
【図４】
0005065109.tif 000005